【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
乳房を斜位方向からＸ線撮影したＭＬＯ画像と、前記乳房を上下方向からＸ線撮影したＣＣ画像について、それぞれに腫瘤、微小石灰化クラスタの異常陰影候補を検出する検出手段と、
前記検出手段により検出された異常陰影候補の領域が表示された前記ＭＬＯ画像及び前記ＣＣ画像を表示する表示手段と、
前記表示手段により表示された前記ＭＬＯ画像と前記ＣＣ画像のそれぞれから注目領域を指定するための指定手段と、
前記乳房の正面を示す画像に対し、前記ＭＬＯ画像撮影時に前記Ｘ線撮影装置を傾けた角度に基づいて前記ＭＬＯ画像を傾けて配置するとともに前記ＣＣ画像撮影時の前記Ｘ線撮影装置の角度に基づいて前記ＣＣ画像を配置し、前記ＭＬＯ画像における前記注目領域と前記ＣＣ画像における前記注目領域のそれぞれを前記乳房の正面を示す画像上に投影し、その投影像が重なった領域を前記乳房を正面から見たときの前記注目領域の位置として推定する推定手段と、
前記推定手段により推定された前記乳房を正面から見たときの前記注目領域の位置を示す推定臨床位置情報を生成する生成手段と、
前記生成された推定臨床位置情報を前記表示手段に表示させる表示制御手段と、
を備える医用画像システム。
【請求項２】
乳房を斜位方向からＸ線撮影したＭＬＯ画像と、前記乳房を上下方向からＸ線撮影したＣＣ画像について、それぞれに異常陰影候補の領域を入力する入力手段と、
前記入力手段により入力された異常陰影候補の領域が表示された前記ＭＬＯ画像及び前記ＣＣ画像を表示する表示手段と、
前記表示手段により表示された前記ＭＬＯ画像と前記ＣＣ画像のそれぞれから注目領域を指定するための指定手段と、
前記乳房の正面を示す画像に対し、前記ＭＬＯ画像撮影時に前記Ｘ線撮影装置を傾けた角度に基づいて前記ＭＬＯ画像を傾けて配置するとともに前記ＣＣ画像撮影時の前記Ｘ線撮影装置の角度に基づいて前記ＣＣ画像を配置し、前記ＭＬＯ画像における前記注目領域と前記ＣＣ画像における前記注目領域のそれぞれを前記乳房の正面を示す画像上に投影し、その投影像が重なった領域を前記乳房を正面から見たときの前記注目領域の位置として推定する推定手段と、
前記推定手段により推定された前記乳房を正面から見たときの前記注目領域の位置を示す推定臨床位置情報を生成する生成手段と、
前記生成された推定臨床位置情報を前記表示手段に表示させる表示制御手段と、
を備える医用画像システム。
【請求項３】
前記生成手段は、前記注目領域が投影された前記乳房の正面を示す画像に基づいて前記推定臨床位置情報を生成する請求項１又は２に記載の医用画像システム。
【請求項４】
前記乳房の正面を示す画像は、複数の領域に分割されており、
前記生成手段は、前記推定された注目領域の位置が前記複数の領域のそれぞれに占める面積を算出し、前記算出された面積の最も大きい領域を示す情報を前記推定臨床位置情報として生成する請求項３に記載の医用画像システム。
【請求項５】
前記表示制御手段は、前記注目領域が表示された前記ＭＬＯ画像及び前記ＣＣ画像と同一画面上に前記推定臨床位置情報を表示させる請求項１〜４の何れか一項に記載の医用画像システム。
【請求項６】
コンピュータを、
乳房を斜位方向からＸ線撮影したＭＬＯ画像と、前記乳房を上下方向からＸ線撮影したＣＣ画像について、それぞれに腫瘤及び微小石灰化クラスタの異常陰影候補を検出する検出手段、
前記検出手段により検出された異常陰影候補の領域が表示された前記ＭＬＯ画像及び前記ＣＣ画像を表示する表示手段、
前記表示手段により表示された前記ＭＬＯ画像と前記ＣＣ画像のそれぞれから注目領域を指定するための指定手段、
前記乳房の正面を示す画像に対し、前記ＭＬＯ画像撮影時に前記Ｘ線撮影装置を傾けた角度に基づいて前記ＭＬＯ画像を傾けて配置するとともに前記ＣＣ画像撮影時の前記Ｘ線撮影装置の角度に基づいて前記ＣＣ画像を配置し、前記ＭＬＯ画像における前記注目領域と前記ＣＣ画像における前記注目領域のそれぞれを前記乳房の正面を示す画像上に投影し、その投影像が重なった領域を前記乳房を正面から見たときの前記注目領域の位置として推定する推定手段、
前記推定手段により推定された前記乳房を正面から見たときの前記注目領域の位置を示す推定臨床位置情報を生成する生成手段、
前記生成された推定臨床位置情報を前記表示手段に表示させる表示制御手段、
として機能させるためのプログラム。
【請求項７】
コンピュータを、
乳房を斜位方向からＸ線撮影したＭＬＯ画像と、前記乳房を上下方向からＸ線撮影したＣＣ画像について、それぞれに異常陰影候補の領域を入力する入力手段、
前記入力手段により入力された異常陰影候補の領域が表示された前記ＭＬＯ画像及び前記ＣＣ画像を表示する表示手段、
前記表示手段により表示された前記ＭＬＯ画像と前記ＣＣ画像のそれぞれから注目領域を指定するための指定手段、
前記乳房の正面を示す画像に対し、前記ＭＬＯ画像撮影時に前記Ｘ線撮影装置を傾けた角度に基づいて前記ＭＬＯ画像を傾けて配置するとともに前記ＣＣ画像撮影時の前記Ｘ線撮影装置の角度に基づいて前記ＣＣ画像を配置し、前記ＭＬＯ画像における前記注目領域と前記ＣＣ画像における前記注目領域のそれぞれを前記乳房の正面を示す画像上に投影し、その投影像が重なった領域を前記乳房を正面から見たときの前記注目領域の位置として推定する推定手段、
前記推定手段により推定された前記乳房を正面から見たときの前記注目領域の位置を示す推定臨床位置情報を生成する生成手段、
前記生成された推定臨床位置情報を前記表示手段に表示させる表示制御手段、
として機能させるためのプログラム。
【手続補正２】
【補正対象書類名】明細書
【補正対象項目名】００１１
【補正方法】変更
【補正の内容】
【００１１】
上記課題を解決するため、請求項１に記載の発明の医用画像システムは、
乳房を斜位方向からＸ線撮影したＭＬＯ画像と、前記乳房を上下方向からＸ線撮影したＣＣ画像について、それぞれに腫瘤、微小石灰化クラスタの異常陰影候補を検出する検出手段と、
前記検出手段により検出された異常陰影候補の領域が表示された前記ＭＬＯ画像及び前記ＣＣ画像を表示する表示手段と、
前記表示手段により表示された前記ＭＬＯ画像と前記ＣＣ画像のそれぞれから注目領域を指定するための指定手段と、
前記乳房の正面を示す画像に対し、前記ＭＬＯ画像撮影時に前記Ｘ線撮影装置を傾けた角度に基づいて前記ＭＬＯ画像を傾けて配置するとともに前記ＣＣ画像撮影時の前記Ｘ線撮影装置の角度に基づいて前記ＣＣ画像を配置し、前記ＭＬＯ画像における前記注目領域と前記ＣＣ画像における前記注目領域のそれぞれを前記乳房の正面を示す画像上に投影し、その投影像が重なった領域を前記乳房を正面から見たときの前記注目領域の位置として推定する推定手段と、
前記推定手段により推定された前記乳房を正面から見たときの前記注目領域の位置を示す推定臨床位置情報を生成する生成手段と、
前記生成された推定臨床位置情報を前記表示手段に表示させる表示制御手段と、
を備える。
【手続補正３】
【補正対象書類名】明細書
【補正対象項目名】００１２
【補正方法】変更
【補正の内容】
【００１２】
請求項２に記載の発明の医用画像システムは、
乳房を斜位方向からＸ線撮影したＭＬＯ画像と、前記乳房を上下方向からＸ線撮影したＣＣ画像について、それぞれに異常陰影候補の領域を入力する入力手段と、
前記入力手段により入力された異常陰影候補の領域が表示された前記ＭＬＯ画像及び前記ＣＣ画像を表示する表示手段と、
前記表示手段により表示された前記ＭＬＯ画像と前記ＣＣ画像のそれぞれから注目領域を指定するための指定手段と、
前記乳房の正面を示す画像に対し、前記ＭＬＯ画像撮影時に前記Ｘ線撮影装置を傾けた角度に基づいて前記ＭＬＯ画像を傾けて配置するとともに前記ＣＣ画像撮影時の前記Ｘ線撮影装置の角度に基づいて前記ＣＣ画像を配置し、前記ＭＬＯ画像における前記注目領域と前記ＣＣ画像における前記注目領域のそれぞれを前記乳房の正面を示す画像上に投影し、その投影像が重なった領域を前記乳房を正面から見たときの前記注目領域の位置として推定する推定手段と、
前記推定手段により推定された前記乳房を正面から見たときの前記注目領域の位置を示す推定臨床位置情報を生成する生成手段と、
前記生成された推定臨床位置情報を前記表示手段に表示させる表示制御手段と、
を備える。
【手続補正４】
【補正対象書類名】明細書
【補正対象項目名】００１３
【補正方法】変更
【補正の内容】
【００１３】
請求項３に記載の発明は、請求項１又は２に記載の発明において、
前記生成手段は、前記注目領域が投影された前記乳房の正面を示す画像に基づいて前記推定臨床位置情報を生成する。
【手続補正５】
【補正対象書類名】明細書
【補正対象項目名】００１４
【補正方法】変更
【補正の内容】
【００１４】
請求項４に記載の発明は、請求項３に記載の発明において、
前記乳房の正面を示す画像は、複数の領域に分割されており、
前記生成手段は、前記推定された注目領域の位置が前記複数の領域のそれぞれに占める面積を算出し、前記算出された面積の最も大きい領域を示す情報を前記推定臨床位置情報として生成する。
【手続補正６】
【補正対象書類名】明細書
【補正対象項目名】００１５
【補正方法】変更
【補正の内容】
【００１５】
請求項５に記載の発明は、請求項１〜４の何れか一項に記載の発明において、
前記表示制御手段は、前記注目領域が表示された前記ＭＬＯ画像及び前記ＣＣ画像と同一画面上に前記推定臨床位置情報を表示させる。
【手続補正７】
【補正対象書類名】明細書
【補正対象項目名】００１６
【補正方法】変更
【補正の内容】
【００１６】
請求項６に記載の発明のプログラムは、
コンピュータを、
乳房を斜位方向からＸ線撮影したＭＬＯ画像と、前記乳房を上下方向からＸ線撮影したＣＣ画像について、それぞれに腫瘤及び微小石灰化クラスタの異常陰影候補を検出する検出手段、
前記検出手段により検出された異常陰影候補の領域が表示された前記ＭＬＯ画像及び前記ＣＣ画像を表示する表示手段、
前記表示手段により表示された前記ＭＬＯ画像と前記ＣＣ画像のそれぞれから注目領域を指定するための指定手段、
前記乳房の正面を示す画像に対し、前記ＭＬＯ画像撮影時に前記Ｘ線撮影装置を傾けた角度に基づいて前記ＭＬＯ画像を傾けて配置するとともに前記ＣＣ画像撮影時の前記Ｘ線撮影装置の角度に基づいて前記ＣＣ画像を配置し、前記ＭＬＯ画像における前記注目領域と前記ＣＣ画像における前記注目領域のそれぞれを前記乳房の正面を示す画像上に投影し、その投影像が重なった領域を前記乳房を正面から見たときの前記注目領域の位置として推定する推定手段、
前記推定手段により推定された前記乳房を正面から見たときの前記注目領域の位置を示す推定臨床位置情報を生成する生成手段、
前記生成された推定臨床位置情報を前記表示手段に表示させる表示制御手段、
として機能させる。
【手続補正８】
【補正対象書類名】明細書
【補正対象項目名】００１７
【補正方法】変更
【補正の内容】
【００１７】
請求項７に記載の発明のプログラムは、
コンピュータを、
乳房を斜位方向からＸ線撮影したＭＬＯ画像と、前記乳房を上下方向からＸ線撮影したＣＣ画像について、それぞれに異常陰影候補の領域を入力する入力手段、
前記入力手段により入力された異常陰影候補の領域が表示された前記ＭＬＯ画像及び前記ＣＣ画像を表示する表示手段、
前記表示手段により表示された前記ＭＬＯ画像と前記ＣＣ画像のそれぞれから注目領域を指定するための指定手段、
前記乳房の正面を示す画像に対し、前記ＭＬＯ画像撮影時に前記Ｘ線撮影装置を傾けた角度に基づいて前記ＭＬＯ画像を傾けて配置するとともに前記ＣＣ画像撮影時の前記Ｘ線撮影装置の角度に基づいて前記ＣＣ画像を配置し、前記ＭＬＯ画像における前記注目領域と前記ＣＣ画像における前記注目領域のそれぞれを前記乳房の正面を示す画像上に投影し、その投影像が重なった領域を前記乳房を正面から見たときの前記注目領域の位置として推定する推定手段、
前記推定手段により推定された前記乳房を正面から見たときの前記注目領域の位置を示す推定臨床位置情報を生成する生成手段、
前記生成された推定臨床位置情報を前記表示手段に表示させる表示制御手段、
として機能させる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】